(57)【要約】【課題】  放送受信に対応しつつ、内部無線にて筐体間通信を行うとともに、内部無線通信に必要な構成を簡素化する。【解決手段】  第２筐体部Ｋ１２から第１筐体部Ｋ１１にデータを送信する場合、送信機１２４は、カメラ１２６で撮像された撮像データを、内部無線送信用アンテナ１２５を介して送信し、放送受信機１１０は、その撮像データを放送受信用アンテナ１０９を介して受信し、放送受信用アンテナ１０９を介して受信された撮像データの受信処理を行う。【選択図】      図３
2006319705.tif 000002
【特許請求の範囲】
【請求項１】
相対的な位置関係を変えられるように連結された第１筐体部と第２筐体部と備える無線通信端末において、
前記第１筐体部は、
外部無線通信に用いられる外部無線通信用アンテナと、
前記外部無線通信用アンテナを介して行われる外部無線通信の制御を主として司る外部無線通信制御部と、
前記第１筐体部と前記第２筐体部との間の内部無線送信に用いられる第１内部無線送信用アンテナと、
前記第１内部無線送信用アンテナを介して送信される信号の送信処理を行う第１内部送信部と、
放送受信に用いられる放送受信用アンテナと、
前記放送受信用アンテナを介して受信される放送の受信処理を行う放送受信部とを備え、
前記第２筐体部は、
前記第１筐体部と前記第２筐体部との間の内部無線送信に用いられる第２内部無線送信用アンテナと、
前記第２内部無線送信用アンテナを介して送信される信号の送信処理を行う第２内部送信部と、
前記第１筐体部と前記第２筐体部との間の内部無線受信に用いられる内部無線受信用アンテナと、
前記内部無線受信用アンテナを介して受信される信号の受信処理を行う内部受信部とを備え、
前記放送受信用アンテナは、前記第２内部無線送信用アンテナを介して送信された信号を受信し、
前記放送受信部は、前記第２内部無線送信用アンテナを介して送信された信号の受信処理を受け持つことを特徴とする無線通信端末。
【請求項２】
相対的な位置関係を変えられるように連結された第１筐体部と第２筐体部と備える無線通信端末において、
前記第１筐体部は、
外部無線通信に用いられる外部無線通信用アンテナと、
前記外部無線通信用アンテナを介して行われる外部無線通信の制御を主として司る外部無線通信制御部と、
前記第１筐体部と前記第２筐体部との間の内部無線送信に用いられる第１内部無線送信用アンテナと、
前記第１内部無線送信用アンテナを介して送信される信号の送信処理を行う第１内部送信部と、
前記第１筐体部と前記第２筐体部との間の内部無線受信に用いられる内部無線受信用アンテナと、
前記内部無線受信用アンテナを介して受信される信号の受信処理を行う内部受信部とを備え、
前記第２筐体部は、
前記第１筐体部と前記第２筐体部との間の内部無線送信に用いられる第２内部無線送信用アンテナと、
前記第２内部無線送信用アンテナを介して送信される信号の送信処理を行う第２内部送信部と、
放送受信に用いられる放送受信用アンテナと、
前記放送受信用アンテナを介して受信される放送の受信処理を行う放送受信部とを備え、
前記放送受信用アンテナは、前記第１内部無線送信用アンテナを介して送信された信号を受信し、
前記放送受信部は、前記第１内部無線送信用アンテナを介して送信された信号の受信処理を受け持つことを特徴とする無線通信端末。
【請求項３】
前記放送受信用アンテナにて受信される放送の空きチャンネルに対応するように、前記第１または第２内部送信部にて送信される信号の搬送波周波数を制御する周波数制御部をさらに備えることを特徴とする請求項１または２記載の無線通信端末。
【請求項４】
相対的な位置関係を変えられるように連結された第１筐体部と第２筐体部と備える無線通信端末において、
前記第１筐体部は、
外部無線通信に用いられる外部無線通信用アンテナと、
前記外部無線通信用アンテナを介して行われる外部無線通信の制御を主として司る外部無線通信制御部と、
前記第１筐体部と前記第２筐体部との間の内部無線送信に用いられる第１内部無線送信用アンテナと、
前記第１内部無線送信用アンテナを介して送信される信号の送信処理を行う第１内部送信部と、
放送受信に用いられる放送受信用アンテナと、
前記放送受信用アンテナを介して受信される放送の受信処理をＯＦＤＭ方式にて行う放送受信部とを備え、
前記第２筐体部は、
前記第１筐体部と前記第２筐体部との間の内部無線送信に用いられる第２内部無線送信用アンテナと、
前記第２内部無線送信用アンテナを介して送信される信号の送信処理をＯＦＤＭ方式にて行う第２内部送信部と、
前記第１筐体部と前記第２筐体部との間の内部無線受信に用いられる内部無線受信用アンテナと、
前記内部無線受信用アンテナを介して受信される信号の受信処理を行う内部受信部とを備え、
前記放送受信用アンテナは、前記第２内部無線送信用アンテナを介して送信された信号を受信し、
前記放送受信部は、前記第２内部無線送信用アンテナを介して送信された信号の受信処理を受け持つことを特徴とする無線通信端末。
【請求項５】
相対的な位置関係を変えられるように連結された第１筐体部と第２筐体部と備える無線通信端末において、
前記第１筐体部は、
外部無線通信に用いられる外部無線通信用アンテナと、
前記外部無線通信用アンテナを介して行われる外部無線通信の制御を主として司る外部無線通信制御部と、
前記第１筐体部と前記第２筐体部との間の内部無線送信に用いられる第１内部無線送信用アンテナと、
前記第１内部無線送信用アンテナを介して送信される信号の送信処理をＯＦＤＭ方式にて行う第１内部送信部と、
前記第１筐体部と前記第２筐体部との間の内部無線受信に用いられる内部無線受信用アンテナと、
前記内部無線受信用アンテナを介して受信される信号の受信処理を行う内部受信部とを備え、
前記第２筐体部は、
前記第１筐体部と前記第２筐体部との間の内部無線送信に用いられる第２内部無線送信用アンテナと、
前記第２内部無線送信用アンテナを介して送信される信号の送信処理を行う第２内部送信部と、
放送受信に用いられる放送受信用アンテナと、
前記放送受信用アンテナを介して受信される放送の受信処理をＯＦＤＭ方式にて行う放送受信部とを備え、
前記放送受信用アンテナは、前記第１内部無線送信用アンテナを介して送信された信号を受信し、
前記放送受信部は、前記第１内部無線送信用アンテナを介して送信された信号の受信処理を受け持つことを特徴とする無線通信端末。
【請求項６】
前記放送受信用アンテナにて受信される放送と同一チャンネルの空きセグメントに対応するように、前記第１または第２内部送信部にて送信される信号に割り当てられるセグメントを制御するセグメント制御部をさらに備えることを特徴とする請求項４または５記載の無線通信端末。
【請求項７】
前記無線通信端末は携帯電話であることを特徴とする請求項１から６のいずれか１項記載の無線通信端末。
【請求項８】
前記内部無線は、微弱無線またはＵＷＢ無線の近距離無線であることを特徴とする請求項１から７のいずれか１項記載の無線通信端末。
【発明の詳細な説明】
【技術分野】
【０００１】
本発明は無線通信端末に関し、特に、放送受信機能を持つクラムシェル型携帯電話などに適用して好適なものである。
【背景技術】
【０００２】
近年の携帯電話では、文字や図形などの静止画像の他、デジタルカメラで撮像された静止画像や動画像をより精細に表示させることができるようにするため、携帯電話に搭載される液晶表示装置を高解像度化することが行われている。これに伴って、デジタルカメラと液晶表示装置との間でやり取りされるデータ量も増大し、ＬＶＤＳ（Ｌｏｗ  Ｖｏｌｔａｇｅ  Ｄｉｆｆｅｒｅｎｔｉａｌ  Ｓｉｇｎａｌｉｎｇ）という高速転送方式を表示体や撮像素子の接続に用いることが提案されている。
【０００３】
また、近年の携帯電話では、携帯電話の携帯性を損なうことなく、表示体のサイズを大きくするとともに、携帯電話を持ち歩いているときに操作ボタンが誤って操作されることを防止するため、携帯電話の折り畳みが可能なクラムシェル構造を採用することが行われている。このクラムシェル構造では、携帯電話の外部無線通信機能を主として司る制御部が搭載された第１筐体部と、表示体が搭載された第２筐体部とがヒンジを介して連結され、第１筐体部と第２筐体部とはヒンジを介して互いに閉じたり開いたりすることができる。ここで、クラムシェル型携帯電話では、表示体の高解像度化に対応できるようにするため、多ピン化されたフレキシブル配線基板をヒンジ内に通すことにより、高ビットレートの画像データなどを第１筐体部と第２筐体部との間でやり取りできるようにすることが行われている。
【０００４】
また、例えば、先願の特願２００４−１８８３４９号の明細書および図面には、多ピン化されたフレキシブル配線基板をヒンジ内に通すことなく、高ビットレートの画像データなどを第１筐体部と第２筐体部との間でやり取りできるようにするため、内部無線通信用アンテナを第１筐体部と第２筐体部にそれぞれ設け、第１筐体部と第２筐体部との間のデータ伝送を内部無線通信にて行う方法が開示されている。
【発明の開示】
【発明が解決しようとする課題】
【０００５】
しかしながら、第１筐体部と第２筐体部との間のデータ伝送を内部無線通信にて行う方法では、内部無線用送信機、内部無線用受信機、内部無線用送信アンテナおよび内部無線用受信アンテナを第１筐体部および第２筐体部にそれぞれ設ける必要がある。このため、内部無線通信用として、送信機が２個、受信機が２個、アンテナが４個分だけ必要となり、無線通信端末のサイズおよび重量の増大を招くとともに、コストアップに繋がるという問題があった。
【０００６】
一方、近年の携帯電話では、デレビ放送やラジオ放送などを受信する機能が付加されたものがあり、今後地上デジタル放送が本格的に運用されるようになると、デレビ放送の受信機能がより多くの機種に搭載されることが見込まれる。
そこで、本発明の目的は、放送受信に対応しつつ、内部無線にて筐体間通信を行うとともに、内部無線通信に必要な構成を簡素化することが可能な無線通信端末および内部無線通信制御方法を提供することである。
【課題を解決するための手段】
【０００７】
上述した課題を解決するために、本発明の一態様に係る無線通信端末によれば、相対的な位置関係を変えられるように連結された第１筐体部と第２筐体部と備える無線通信端末において、前記第１筐体部は、外部無線通信に用いられる外部無線通信用アンテナと、前記外部無線通信用アンテナを介して行われる外部無線通信の制御を主として司る外部無線通信制御部と、前記第１筐体部と前記第２筐体部との間の内部無線送信に用いられる第１内部無線送信用アンテナと、前記第１内部無線送信用アンテナを介して送信される信号の送信処理を行う第１内部送信部と、放送受信に用いられる放送受信用アンテナと、前記放送受信用アンテナを介して受信される放送の受信処理を行う放送受信部とを備え、前記第２筐体部は、前記第１筐体部と前記第２筐体部との間の内部無線送信に用いられる第２内部無線送信用アンテナと、前記第２内部無線送信用アンテナを介して送信される信号の送信処理を行う第２内部送信部と、前記第１筐体部と前記第２筐体部との間の内部無線受信に用いられる内部無線受信用アンテナと、前記内部無線受信用アンテナを介して受信される信号の受信処理を行う内部受信部とを備え、前記放送受信用アンテナは、前記第２内部無線送信用アンテナを介して送信された信号を受信し、前記放送受信部は、前記第２内部無線送信用アンテナを介して送信された信号の受信処理を受け持つことを特徴とする。
【０００８】
これにより、第１筐体部に設けられた放送受信機能を用いて、第２筐体部から送信された信号を受信することが可能となり、第１筐体部と第２筐体部との間のデータ伝送を内部無線通信にて行うことを可能としつつ、第１筐体部の内部無線受信用アンテナおよび内部無線用受信機を省略することができる。このため、多ピン化されたフレキシブル配線基板をヒンジ内に通すことなく、高ビットレートの画像データなどを第１筐体部と第２筐体部との間でやり取りすることが可能となるとともに、内部無線通信に必要な構成を簡素化することが可能となり、コストアップを抑制しつつ、無線通信端末の小型薄型化および高信頼性化を図ることが可能となるとともに、無線通信端末の携帯性を損なうことなく、無線通信端末の大画面化および多機能化を図ることができる。
【０００９】
また、放送受信部は、微弱な電波も受信できるように高感度に設計されることから、第２筐体部からの内部無線送信時の送信電力を低減させることができ、低消費電力化に寄与するとともに、ＥＭＩ（不要電磁波）を抑制することができる。
また、本発明の一態様に係る無線通信端末によれば、相対的な位置関係を変えられるように連結された第１筐体部と第２筐体部と備える無線通信端末において、前記第１筐体部は、外部無線通信に用いられる外部無線通信用アンテナと、前記外部無線通信用アンテナを介して行われる外部無線通信の制御を主として司る外部無線通信制御部と、前記第１筐体部と前記第２筐体部との間の内部無線送信に用いられる第１内部無線送信用アンテナと、前記第１内部無線送信用アンテナを介して送信される信号の送信処理を行う第１内部送信部と、前記第１筐体部と前記第２筐体部との間の内部無線受信に用いられる内部無線受信用アンテナと、前記内部無線受信用アンテナを介して受信される信号の受信処理を行う内部受信部とを備え、前記第２筐体部は、前記第１筐体部と前記第２筐体部との間の内部無線送信に用いられる第２内部無線送信用アンテナと、前記第２内部無線送信用アンテナを介して送信される信号の送信処理を行う第２内部送信部と、放送受信に用いられる放送受信用アンテナと、前記放送受信用アンテナを介して受信される放送の受信処理を行う放送受信部とを備え、前記放送受信用アンテナは、前記第１内部無線送信用アンテナを介して送信された信号を受信し、前記放送受信部は、前記第１内部無線送信用アンテナを介して送信された信号の受信処理を受け持つことを特徴とする。
【００１０】
これにより、第２筐体部に設けられた放送受信機能を用いて、第１筐体部から送信された信号を受信することが可能となり、第１筐体部と第２筐体部との間のデータ伝送を内部無線通信にて行うことを可能としつつ、第２筐体部の内部無線受信用アンテナおよび内部無線用受信機を省略することができる。このため、放送受信に対応しつつ、内部無線通信に必要な構成を簡素化することが可能となり、コストアップを抑制しつつ、無線通信端末の小型薄型化および高信頼性化を図ることが可能となるとともに、無線通信端末の携帯性を損なうことなく、無線通信端末の大画面化および多機能化を図ることができる。
【００１１】
また、本発明の一態様に係る無線通信端末によれば、前記放送受信用アンテナにて受信される放送の空きチャンネルに対応するように、前記第１または第２内部送信部にて送信される信号の搬送波周波数を制御する周波数制御部をさらに備えることを特徴とする。
これにより、本来の放送受信動作に影響を及ぼすことなく、内部無線受信機能を放送受信部に受け持たせることができ、放送受信に対応しつつ、内部無線にて筐体間通信を行うとともに、内部無線通信に必要な構成を簡素化することが可能となる。
【００１２】
また、本発明の一態様に係る無線通信端末によれば、相対的な位置関係を変えられるように連結された第１筐体部と第２筐体部と備える無線通信端末において、前記第１筐体部は、外部無線通信に用いられる外部無線通信用アンテナと、前記外部無線通信用アンテナを介して行われる外部無線通信の制御を主として司る外部無線通信制御部と、前記第１筐体部と前記第２筐体部との間の内部無線送信に用いられる第１内部無線送信用アンテナと、前記第１内部無線送信用アンテナを介して送信される信号の送信処理を行う第１内部送信部と、放送受信に用いられる放送受信用アンテナと、前記放送受信用アンテナを介して受信される放送の受信処理をＯＦＤＭ方式にて行う放送受信部とを備え、前記第２筐体部は、前記第１筐体部と前記第２筐体部との間の内部無線送信に用いられる第２内部無線送信用アンテナと、前記第２内部無線送信用アンテナを介して送信される信号の送信処理をＯＦＤＭ方式にて行う第２内部送信部と、前記第１筐体部と前記第２筐体部との間の内部無線受信に用いられる内部無線受信用アンテナと、前記内部無線受信用アンテナを介して受信される信号の受信処理を行う内部受信部とを備え、前記放送受信用アンテナは、前記第２内部無線送信用アンテナを介して送信された信号を受信し、前記放送受信部は、前記第２内部無線送信用アンテナを介して送信された信号の受信処理を受け持つことを特徴とする。
【００１３】
これにより、伝送方式としてＯＦＤＭ方式が採用されている場合においても、第１筐体部に設けられた放送受信機能を用いて、第２筐体部から送信された信号を受信することが可能となる。このため、第１筐体部と第２筐体部との間のデータ伝送を内部無線通信にて行うことを可能としつつ、第１筐体部の内部無線受信用アンテナおよび内部無線用受信機を省略することができ、地上デジタル放送の受信に対応しつつ、内部無線通信に必要な構成を簡素化することが可能となる。
【００１４】
また、本発明の一態様に係る無線通信端末によれば、相対的な位置関係を変えられるように連結された第１筐体部と第２筐体部と備える無線通信端末において、前記第１筐体部は、外部無線通信に用いられる外部無線通信用アンテナと、前記外部無線通信用アンテナを介して行われる外部無線通信の制御を主として司る外部無線通信制御部と、前記第１筐体部と前記第２筐体部との間の内部無線送信に用いられる第１内部無線送信用アンテナと、前記第１内部無線送信用アンテナを介して送信される信号の送信処理をＯＦＤＭ方式にて行う第１内部送信部と、前記第１筐体部と前記第２筐体部との間の内部無線受信に用いられる内部無線受信用アンテナと、前記内部無線受信用アンテナを介して受信される信号の受信処理を行う内部受信部とを備え、前記第２筐体部は、前記第１筐体部と前記第２筐体部との間の内部無線送信に用いられる第２内部無線送信用アンテナと、前記第２内部無線送信用アンテナを介して送信される信号の送信処理を行う第２内部送信部と、放送受信に用いられる放送受信用アンテナと、前記放送受信用アンテナを介して受信される放送の受信処理をＯＦＤＭ方式にて行う放送受信部とを備え、前記放送受信用アンテナは、前記第１内部無線送信用アンテナを介して送信された信号を受信し、前記放送受信部は、前記第１内部無線送信用アンテナを介して送信された信号の受信処理を受け持つことを特徴とする。
【００１５】
これにより、伝送方式としてＯＦＤＭ方式が採用されている場合においても、第２筐体部に設けられた放送受信機能を用いて、第１筐体部から送信された信号を受信することが可能となる。このため、第１筐体部と第２筐体部との間のデータ伝送を内部無線通信にて行うことを可能としつつ、第１筐体部の内部無線受信用アンテナおよび内部無線用受信機を省略することができ、地上デジタル放送の受信に対応しつつ、内部無線通信に必要な構成を簡素化することが可能となる。
【００１６】
また、本発明の一態様に係る無線通信端末によれば、前記放送受信用アンテナにて受信される放送と同一チャンネルの空きセグメントに対応するように、前記第１または第２内部送信部にて送信される信号に割り当てられるセグメントを制御するセグメント制御部をさらに備えることを特徴とする。
これにより、伝送方式としてＯＦＤＭ方式が採用されている場合においても、本来の放送受信動作に影響を及ぼすことなく、内部無線受信機能を放送受信部に受け持たせることができ、地上デジタル放送の受信に対応しつつ、内部無線にて筐体間通信を行うとともに、内部無線通信に必要な構成を簡素化することが可能となる。
【００１７】
また、本発明の一態様に係る無線通信端末によれば、前記無線通信端末は携帯電話であることを特徴とする。
これにより、携帯電話にクラムシェル構造が採用された場合においても、携帯電話の筐体間のデータ伝送を無線で行うことが可能となる。このため、携帯電話に搭載される表示部の高解像度化に対応して、筐体間でやり取りされるデータ量が増大した場合においても、ヒンジ部の構造の複雑化を抑制することが可能となるとともに、実装工程の煩雑化を防止することが可能となる。この結果、コストアップを抑制しつつ、携帯電話の小型薄型化および高信頼性化を図ることが可能となるとともに、携帯電話の携帯性を損なうことなく、携帯電話の大画面化および多機能化を図ることができる。
【００１８】
また、本発明の一態様に係る無線通信端末によれば、前記内部無線は、微弱無線またはＵＷＢ無線の近距離無線であることを特徴とする。
これにより、内部無線通信における出力レベルを抑制しつつ、内部無線通信を安定して行うことが可能となる。このため、第１筐体部と第２筐体部との間でのデータ伝送量が増大した場合においても、法規制の制約内で、第１筐体部と第２筐体部との間でのデータ伝送を無線で行うことが可能となり、ヒンジ部の構成を複雑化させることなく、第１筐体部と第２筐体部との間の相対的な位置関係を変化させることが可能となる。
【発明を実施するための最良の形態】
【００１９】
以下、本発明の実施形態に係る無線通信端末および無線通信制御方法について図面を参照しながら説明する。
図１は、本発明の無線通信制御方法が適用されるクラムシェル型携帯電話の外観を示す斜視図である。なお、図１（ａ）は、本発明の無線通信制御方法が適用されるクラムシェル型携帯電話を開いたときの状態を示す斜視図、図１（ｂ）は、本発明の無線通信制御方法が適用されるクラムシェル型携帯電話を閉じたときの状態を示す斜視図を示す。
【００２０】
図１において、第１筐体部１の表面には、操作ボタン４が配置されるとともに、第１筐体部１の下端にはマイク５が設けられ、第１筐体部１の上端には外部無線通信用アンテナ６が取り付けられている。また、第２筐体部２の表面には、表示体８が設けられるとともに、第２筐体部２の上端にはスピーカ９が設けられている。また、第２筐体部２の裏面には、表示体１１および撮像素子１２が設けられている。なお、表示体８、１１としては、例えば、液晶表示パネル、有機ＥＬパネルまたはプラズマディスプレイパネルなどを用いることができる。また、撮像素子１２としては、ＣＣＤまたはＣＭＯＳセンサなどを用いることができる。また、第１筐体部１には、第１筐体部１と第２筐体部２との間で内部無線送信を行う内部無線送信用アンテナ７が設けられるとともに、地上デジタル放送などの放送受信に用いられる放送受信用アンテナ１３が設けられている。また、第２筐体部２には、第１筐体部１と第２筐体部２との間で内部無線送信を行う内部無線送信用アンテナ１０ａが設けられるとともに、第１筐体部１と第２筐体部２との間で内部無線受信を行う内部無線受信用アンテナ１０ｂが設けられている。ここで、放送受信用アンテナ１３は、内部無線送信用アンテナ１０ａを介して送信された信号を受信し、放送受信用アンテナ１３にて受信された第２筐体部２からの信号の受信処理を第１筐体部１側で行うことができる。
【００２１】
そして、第１筐体部１および第２筐体部２はヒンジ３を介して連結され、ヒンジ３を支点として第２筐体部２を回転させることにより、第２筐体部２を第１筐体部１上に折り畳むことができる。そして、第２筐体部２を第１筐体部１上に閉じることにより、操作ボタン４を第２筐体部２にて保護することができ、携帯電話を持ち歩く時に操作ボタン４が誤って操作されることを防止することができる。また、第２筐体部２を第１筐体部１から開くことにより、表示体８を見ながら操作ボタン４を操作したり、スピーカ９およびマイク５を使いながら通話したり、操作ボタン４を操作しながら撮像を行ったりすることができる。
【００２２】
ここで、クラムシェル構造を用いることにより、第２筐体部２のほぼ一面全体に表示体８を配置することができ、携帯電話の携帯性を損なうことなく、表示体８のサイズを拡大させることを可能として、視認性を向上させることができる。
また、第１筐体部１から第２筐体部２にデータを送信する場合、内部無線送信用アンテナ７を介して第１筐体部１からデータを送信し、第１筐体部１から送信されたデータを内部無線受信用アンテナ１０ｂを介して第２筐体部２側で受信することができる。例えば、外部無線通信用アンテナ６または放送受信用アンテナ１３を介して第１筐体部１に取り込まれた画像データや音声データを、内部無線送信用アンテナ７および内部無線受信用アンテナ１０ｂを用いた内部無線通信にて第２筐体部２に送り、表示体８に画像を表示させたり、スピーカ９から音声を出力させたりすることができる。
【００２３】
また、第２筐体部２から第１筐体部１にデータを送信する場合、内部無線送信用アンテナ１０ａを介して第２筐体部２からデータを送信し、第２筐体部２から送信されたデータを放送受信用アンテナ１３を介して第１筐体部１側で受信することができる。例えば、撮像素子１２にて撮像された撮像データを、内部無線送信用アンテナ１０ａおよび放送受信用アンテナ１３を用いた内部無線通信にて第２筐体部２から第１筐体部１に送り、外部無線通信用アンテナ６を介して外部に送出させることができる。
【００２４】
これにより、第１筐体部１に設けられた放送受信機能を用いて、第２筐体部２から送信された信号を受信することが可能となり、第１筐体部１と第２筐体部２との間のデータ伝送を内部無線通信にて行うことを可能としつつ、第１筐体部１の内部無線受信用アンテナおよび内部無線用受信機を省略することができる。このため、多ピン化されたフレキシブル配線基板をヒンジ３内に通すことなく、高ビットレートの画像データなどを第１筐体部１と第２筐体部２との間でやり取りすることが可能となるとともに、内部無線通信に必要な構成を簡素化することが可能となり、コストアップを抑制しつつ、携帯電話の小型薄型化および高信頼性化を図ることが可能となるとともに、携帯電話の携帯性を損なうことなく、携帯電話の大画面化および多機能化を図ることができる。
【００２５】
なお、図１の実施形態では、放送受信用アンテナ１３を第１筐体部１側に設ける方法について説明したが、放送受信用アンテナ１３および放送受信機能を第２筐体部２側に設け、第２筐体部２の内部無線受信用アンテナおよび内部無線用受信機を省略するようにしてもよい。
図２は、本発明の無線通信制御方法が適用される回転式携帯電話の外観を示す平面図である。なお、図２（ａ）は、本発明の無線通信制御方法が適用される回転式携帯電話を途中まで開いたときの状態を示す平面図、図２（ｂ）は、本発明の無線通信制御方法が適用される回転式携帯電話を完全に開いたときの状態を示す平面図を示す。
【００２６】
図２において、第１筐体部２１の表面には、操作ボタン２４が配置されるとともに、第１筐体部２１の下端にはマイク２５が設けられ、第１筐体部２１の上端には外部無線通信用アンテナ２６が取り付けられている。また、第２筐体部２２の表面には、表示体２８が設けられるとともに、第２筐体部２２の上端にはスピーカ２９が設けられている。また、第１筐体部２１には、第１筐体部２１と第２筐体部２２との間で内部無線送信を行う内部無線送信用アンテナ２７が設けられるとともに、地上デジタル放送などの放送受信に用いられる放送受信用アンテナ３１が設けられている。また、第２筐体部２２には、第１筐体部２１と第２筐体部２２との間で内部無線送信を行う内部無線送信用アンテナ３０ａが設けられるとともに、第１筐体部２１と第２筐体部２２との間で内部無線受信を行う内部無線受信用アンテナ３０ｂが設けられている。ここで、放送受信用アンテナ３１は、内部無線送信用アンテナ３０ａを介して送信された信号を受信し、放送受信用アンテナ３１にて受信された第２筐体部２２からの信号の受信処理を第１筐体部２１側で行うことができる。
【００２７】
そして、第１筐体部２１および第２筐体部２２はヒンジ２３を介して連結され、ヒンジ２３を支点として第２筐体部２２を水平に回転させることにより、第２筐体部２２を第１筐体部２１上に重ねて配置したり、第２筐体部２２を第１筐体部２１からずらしたりすることができる。そして、第２筐体部２２を第１筐体部２１上に重ねて配置することにより、操作ボタン２４を第２筐体部２２にて保護することができ、携帯電話を持ち歩く時に操作ボタン２４が誤って操作させることを防止することができる。また、第２筐体部２２を水平に回転させて、第２筐体部２２を第１筐体部２１からずらすことにより、表示体２８を見ながら操作ボタン２４を操作したり、スピーカ２９およびマイク２５を使いながら通話したりすることができる。
【００２８】
ここで、第１筐体部２１から第２筐体部２２にデータを送信する場合、内部無線送信用アンテナ２７を介して第１筐体部２１からデータを送信し、第１筐体部２１から送信されたデータを内部無線受信用アンテナ３０ｂを介して第２筐体部２２側で受信することができる。例えば、外部無線通信用アンテナ２６または放送受信用アンテナ３１を介して第１筐体部２１に取り込まれた画像データや音声データを、内部無線送信用アンテナ２７および内部無線受信用アンテナ３０ｂを用いた内部無線通信にて第２筐体部２２に送り、表示体２８に画像を表示させたり、スピーカ２９から音声を出力させたりすることができる。
【００２９】
また、第２筐体部２２から第１筐体部２１にデータを送信する場合、内部無線送信用アンテナ３０ａを介して第２筐体部２２からデータを送信し、第２筐体部２２から送信されたデータを放送受信用アンテナ３１を介して第１筐体部２１側で受信することができる。
これにより、第１筐体部２１に設けられた放送受信機能を用いて、第２筐体部２２から送信された信号を受信することが可能となる。このため、第１筐体部２１と第２筐体部２２との間のデータ伝送を内部無線通信にて行うことを可能としつつ、第１筐体部２１の内部無線受信用アンテナおよび内部無線用受信機を省略することができ、放送受信に対応しつつ、内部無線通信に必要な構成を簡素化することが可能となる。
【００３０】
なお、図２の実施形態では、放送受信用アンテナ３１を第１筐体部２１側に設ける方法について説明したが、放送受信用アンテナ３１および放送受信機能を第２筐体部２２側に設け、第２筐体部２２の内部無線受信用アンテナおよび内部無線用受信機を省略するようにしてもよい。
また、上述した実施形態では、携帯電話を例にとって説明したが、ビデオカメラ、ＰＤＡ（Ｐｅｒｓｏｎａｌ  Ｄｉｇｉｔａｌ  Ａｓｓｉｓｔａｎｃｅ）、ノート型パーソナルコンピュータなどに適用することもできる。
【００３１】
図３は、本発明の第１実施形態に係る無線通信端末の概略構成を示すブロック図である。
図３において、第１筐体部Ｋ１１には、外部無線通信用電波の送受信を行う外部無線通信用アンテナ１０１、外部無線通信用アンテナ１０１を介して送受信される信号の変復調処理を行う無線部１０２、ベースバンド信号処理を行うベースバンド信号処理部１０３、無線通信端末全体の制御を司る制御部１０４、制御部１０４が処理を実行する際のワークエリアを提供したり、その処理結果を記憶したりするＲＡＭ１０５、無線通信端末を動作させるための各種制御プログラムを格納するＲＯＭ１０６、内部無線送信用アンテナ１０８を介して送信される信号の送信処理を行う送信機１０７、内部無線送信用電波の送信を第１筐体部Ｋ１１側で行う内部無線送信用アンテナ１０８、放送受信に用いられる放送受信用アンテナ１０９、放送受信用アンテナ１０９を介して受信される放送の受信処理を行う放送受信機１１０が設けられている。
【００３２】
また、第２筐体部Ｋ１２には、内部無線受信用アンテナ１２２を介して受信される信号の受信処理を行う受信機１２１、内部無線受信用電波の受信を第２筐体部Ｋ１２側で行う内部無線受信用アンテナ１２２、内部無線送信用アンテナ１２５を介して送信される信号の送信処理を行う送信機１２４、内部無線送信用電波の送信を第２筐体部Ｋ１２側で行う内部無線送信用アンテナ１２５、送信機１２４にて送信される信号の搬送波周波数を制御する周波数制御部１２３、撮像を行うカメラ１２６、表示データの表示を行う液晶表示部１２７および付加装置１２８が設けられている。ここで、放送受信用アンテナ１０９は、内部無線送信用アンテナ１２５を介して送信された信号を受信し、放送受信機１１０は、放送受信用アンテナ１０９にて受信された送信機１２４からの信号の受信処理を受け持つことができる。また、周波数制御部１２３は、放送受信用アンテナ１０９にて受信される放送の空きチャンネルに対応するように、送信機１２４にて送信される信号の搬送波周波数を制御することができる。
【００３３】
なお、外部無線通信における送受信データとしては、例えば、通話時の音声データ、メール時の文字データや画像データなどを挙げることができる。また、内部無線通信における送受信データとしては、例えば、カメラ１２６で撮像された撮像データ、液晶表示部１２７に表示される表示データまたは第２筐体部Ｋ１２を制御する制御信号などを挙げることができる。また、制御部１０４としてはＣＰＵを用いることができる。また、付加装置１２８としては、例えば、ＬＥＤ、マイクまたはスピーカなどを挙げることができる。
【００３４】
そして、第１筐体部Ｋ１１および第２筐体部Ｋ１２は、第１筐体部Ｋ１１と第２筐体部Ｋ１２との間の位置関係を変えられるように連結されている。なお、第１筐体部Ｋ１１と第２筐体部Ｋ１２との間の位置関係を変える方法としては、第２筐体部２を第１筐体部１上に折り畳めるようにする方法の他、第２筐体部２を第１筐体部１上で水平に回転できるようにする方法あるいは第２筐体部２を第１筐体部１上で左右または前後にスライドできるようにする方法などを挙げることができる。
【００３５】
そして、外部無線通信用アンテナ１０１を介してデータを送信する場合、ベースバンド信号処理部１０３に送られた送信データがベースバンド信号処理される。そして、ベースバンド信号処理部１０３から出力された送信データの変調処理が無線部１０２にて行われ、外部無線通信用アンテナ１０１を介して外部に送出される。一方、外部無線通信用アンテナ１０１を介してデータを受信する場合、外部無線通信用アンテナ１０１を介して受信された受信データが無線部１０２に送られ、無線部１０２にて復調処理が行われる。そして、無線部１０２から出力された受信データがベースバンド信号処理部１０３に送られ、ベースバンド信号処理部１０３にてベースバンド信号処理が行われた後、制御部１０４に出力される。
【００３６】
また、放送受信用アンテナ１０９を介して放送を受信する場合、放送受信用アンテナ１０９を介して受信された受信データが放送受信機１１０に送られ、放送受信機１１０にて復調処理が行われる。そして、放送受信機１１０にて復調処理が行われた受信データが制御部１０４に出力される。
また、第１筐体部Ｋ１１から第２筐体部Ｋ１２にデータを送信する場合、送信機１０７は、制御部１０４から送られた画像データや音声データなどを、内部無線送信用アンテナ１０８を介して送信することができる。また、制御部１０４は、放送受信用アンテナ１０９を介して受信された放送の空きチャンネルに関する情報を送信機１０７に送ることができる。そして、送信機１０７は、制御部１０４から送られた放送の空きチャンネルに関する情報を、内部無線送信用アンテナ１０８を介して送信することができる。
【００３７】
そして、内部無線送信用アンテナ１０８を介して画像データや音声データなどが送信されると、これらの画像データや音声データなどが内部無線受信用アンテナ１２２を介して受信される。そして、受信機１２１は、内部無線受信用アンテナ１２２を介して受信された画像データや音声データの受信処理を行った後、液晶表示部１２７に表示させたり、スピーカから送出させたりすることができる。また、内部無線送信用アンテナ１０８を介して放送の空きチャンネルに関する情報が送信されると、放送の空きチャンネルに関する情報が内部無線受信用アンテナ１２２を介して受信される。そして、受信機１２１は、内部無線受信用アンテナ１２２を介して受信された放送の空きチャンネルに関する情報を周波数制御部１２３に送出することができる。
【００３８】
一方、第２筐体部Ｋ１２から第１筐体部Ｋ１１にデータを送信する場合、送信機１２４は、例えば、カメラ１２６で撮像された撮像データを、内部無線送信用アンテナ１２５を介して送信することができる。そして、内部無線送信用アンテナ１２５を介して撮像データが送信されると、その撮像データが放送受信用アンテナ１０９を介して受信される。そして、放送受信機１１０は、放送受信用アンテナ１０９を介して受信された撮像データの受信処理を行った後、その撮像データを制御部１０４に送ることができる。そして、制御部１０４は、第２筐体部Ｋ１２から送られた撮像データの処理を行ったり、ＲＡＭ１０５に記憶させたりすることができる。
【００３９】
これにより、第１筐体部Ｋ１１に設けられた放送受信用アンテナ１０９および放送受信機１１０を用いて、第２筐体部Ｋ１２から送信された信号を受信することが可能となる。このため、第１筐体部Ｋ１１と第２筐体部Ｋ１２との間のデータ伝送を内部無線通信にて行うことを可能としつつ、第１筐体部Ｋ１１の内部無線受信用アンテナおよび内部無線用受信機を省略することができ、放送受信に対応しつつ、内部無線通信に必要な構成を簡素化することが可能となる。また、放送受信機１１０は、微弱な電波も受信できるように高感度に設計されることから、第２筐体部Ｋ１２からの内部無線送信時の送信電力を低減させることができ、低消費電力化に寄与するとともに、ＥＭＩを抑制することができる。
【００４０】
ここで、第２筐体部Ｋ１２から第１筐体部Ｋ１１にデータを送信する場合、周波数制御部１２３は、放送受信用アンテナ１０９にて受信される放送の空きチャンネルに対応するように、送信機１２４にて送信される信号の搬送波周波数を制御することができる。そして、送信機１２４は、例えば、カメラ１２６で撮像された撮像データを放送の空きチャンネルに乗せながら、内部無線送信用アンテナ１２５を介して送信することができる。
【００４１】
これにより、放送受信機１１０の本来の放送受信動作に影響を及ぼすことなく、内部無線受信機能を放送受信機１１０に受け持たせることができ、放送受信に対応しつつ、内部無線にて第１筐体部Ｋ１１と第２筐体部Ｋ１２との間の通信を実現することが可能となる。
なお、図３の実施形態では、放送受信用アンテナ１０９および放送受信機１１０を第１筐体部Ｋ１１に設ける方法について説明したが、放送受信用アンテナ１０９および放送受信機１１０を第２筐体部Ｋ１２に設けるとともに、第２筐体部Ｋ１２の受信機１２１および内部無線受信用アンテナ１２２を第１筐体部Ｋ１１に設けるようにしてもよい。
【００４２】
図４は、本発明の第２実施形態に係る無線通信端末の概略構成を示すブロック図である。
図４において、第１筐体部Ｋ２１には、外部無線通信用電波の送受信を行う外部無線通信用アンテナ２０１、外部無線通信用アンテナ２０１を介して送受信される信号の変復調処理を行う無線部２０２、ベースバンド信号処理を行うベースバンド信号処理部２０３、無線通信端末全体の制御を司る制御部２０４、制御部２０４が処理を実行する際のワークエリアを提供したり、その処理結果を記憶したりするＲＡＭ２０５、無線通信端末を動作させるための各種制御プログラムを格納するＲＯＭ２０６、内部無線送信用アンテナ２０８を介して送信される信号の送信処理を行う送信機２０７、内部無線送信用電波の送信を第１筐体部Ｋ２１側で行う内部無線送信用アンテナ２０８、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）方式のデジタル放送受信に用いられる放送受信用アンテナ２０９、放送受信用アンテナ２０９を介して受信されるＯＦＤＭ方式のデジタル放送の受信処理を行う放送受信機２１０が設けられている。
【００４３】
また、第２筐体部Ｋ２２には、内部無線受信用アンテナ２２２を介して受信される信号の受信処理を行う受信機２２１、内部無線受信用電波の受信を第２筐体部Ｋ２２側で行う内部無線受信用アンテナ２２２、内部無線送信用アンテナ２２５を介して送信される信号の送信処理をＯＦＤＭ方式にて行う送信機２２４、ＯＦＤＭ方式の内部無線送信用電波の送信を第２筐体部Ｋ２２側で行う内部無線送信用アンテナ２２５、送信機２２４にて送信される信号に割り当てられるセグメントを制御するセグメント制御部２２３、撮像を行うカメラ２２６、表示データの表示を行う液晶表示部２２７および付加装置２２８が設けられている。ここで、放送受信用アンテナ２０９は、内部無線送信用アンテナ２２５を介して送信されたＯＦＤＭ方式の信号を受信し、放送受信機２１０は、放送受信用アンテナ２０９にて受信された送信機２２４からのＯＦＤＭ方式の信号の受信処理を受け持つことができる。また、セグメント制御部２２３は、放送受信用アンテナ２０９にて受信される放送と同一チャンネルの空きセグメントに対応するように、送信機２２４にて送信される信号に割り当てられるセグメントを制御することができる。そして、第１筐体部Ｋ２１および第２筐体部Ｋ２２は、第１筐体部Ｋ２１と第２筐体部Ｋ２２との間の位置関係を変えられるように連結されている。
【００４４】
そして、外部無線通信用アンテナ２０１を介してデータを送信する場合、ベースバンド信号処理部２０３に送られた送信データがベースバンド信号処理される。そして、ベースバンド信号処理部２０３から出力された送信データの変調処理が無線部２０２にて行われ、外部無線通信用アンテナ２０１を介して外部に送出される。一方、外部無線通信用アンテナ２０１を介してデータを受信する場合、外部無線通信用アンテナ２０１を介して受信された受信データが無線部２０２に送られ、無線部２０２にて復調処理が行われる。そして、無線部２０２から出力された受信データがベースバンド信号処理部２０３に送られ、ベースバンド信号処理部２０３にてベースバンド信号処理が行われた後、制御部２０４に出力される。
【００４５】
また、放送受信用アンテナ２０９を介してＯＦＤＭ方式のデジタル放送を受信する場合、放送受信用アンテナ２０９を介して受信された受信データが放送受信機２１０に送られ、放送受信機２１０にて復調処理が行われる。そして、放送受信機２１０にて復調処理が行われた受信データが制御部２０４に出力される。
また、第１筐体部Ｋ２１から第２筐体部Ｋ２２にデータを送信する場合、送信機２０７は、制御部２０４から送られた画像データや音声データなどを、内部無線送信用アンテナ２０８を介して送信することができる。また、制御部２０４は、放送受信用アンテナ２０９を介して受信されたＯＦＤＭ方式のデジタル放送と同一チャンネルの空きセグメントに関する情報を送信機２０７に送ることができる。そして、送信機２０７は、制御部２０４から送られたＯＦＤＭ方式のデジタル放送の空きセグメントに関する情報を、内部無線送信用アンテナ２０８を介して送信することができる。
【００４６】
そして、内部無線送信用アンテナ２０８を介して画像データや音声データなどが送信されると、これらの画像データや音声データなどが内部無線受信用アンテナ２２２を介して受信される。そして、受信機２２１は、内部無線受信用アンテナ２２２を介して受信された画像データや音声データの受信処理を行った後、液晶表示部２２７に表示させたり、スピーカから送出させたりすることができる。また、内部無線送信用アンテナ２０８を介してＯＦＤＭ方式のデジタル放送の空きセグメントに関する情報が送信されると、その空きセグメントに関する情報が内部無線受信用アンテナ２２２を介して受信される。そして、受信機２２１は、内部無線受信用アンテナ２２２を介して受信されたＯＦＤＭ方式のデジタル放送の空きセグメントに関する情報をセグメント制御部２２３に送出することができる。
【００４７】
一方、第２筐体部Ｋ２２から第１筐体部Ｋ２１にデータを送信する場合、送信機２２４は、例えば、カメラ２２６で撮像された撮像データを、内部無線送信用アンテナ２２５を介してＯＦＤＭ方式にて送信することができる。そして、内部無線送信用アンテナ２２５を介して撮像データが送信されると、その撮像データが放送受信用アンテナ２０９を介して受信される。そして、放送受信機２１０は、放送受信用アンテナ２０９を介して受信された撮像データの受信処理を行った後、その撮像データを制御部２０４に送ることができる。そして、制御部２０４は、第２筐体部Ｋ２２から送られた撮像データの処理を行ったり、ＲＡＭ２０５に記憶させたりすることができる。
【００４８】
これにより、伝送方式としてＯＦＤＭ方式が採用されている場合においても、第１筐体部Ｋ２１に設けられた放送受信用アンテナ２０９および放送受信機２１０を用いて、第２筐体部Ｋ２２から送信された信号を受信することが可能となる。このため、第１筐体部Ｋ２１と第２筐体部Ｋ２２との間のデータ伝送を内部無線通信にて行うことを可能としつつ、第１筐体部Ｋ２１の内部無線受信用アンテナおよび内部無線用受信機を省略することができ、地上デジタル放送の受信に対応しつつ、内部無線通信に必要な構成を簡素化することが可能となる。
【００４９】
ここで、第２筐体部Ｋ２２から第１筐体部Ｋ２１にデータを送信する場合、セグメント制御部２２３は、放送受信用アンテナ２０９にて受信される放送と同一チャンネルの空きセグメントに対応するように、送信機２２４にて送信される信号に割り当てられるセグメントを制御することができる。そして、送信機２２４は、例えば、カメラ２２６で撮像された撮像データを空きセグメントに乗せながら、内部無線送信用アンテナ２２５を介して送信することができる。
【００５０】
図５は、本発明の一実施形態に係るセグメントの割り当て方法を示す図である。
図５において、例えば、放送受信機２１０が受信可能な帯域Ｒ１が１２セグメントだけあり、デジタル放送に実際に使用されている帯域Ｒ２が４セグメントだけあるものとする。この場合、セグメント制御部２２３は、１２セグメントのうちの残りの最大で８セグメントを内部無線送信に使用可能な帯域Ｒ３として割り当てることができる。なお、デジタル放送と内部無線送信との干渉を抑制するために、デジタル放送に実際に使用されている帯域Ｒ２と内部無線送信に使用可能な帯域Ｒ３との間に１〜２セグメント分の間隔を設けるようにしてもよい。
【００５１】
なお、図４の実施形態では、放送受信用アンテナ２０９および放送受信機２１０を第１筐体部Ｋ２１に設ける方法について説明したが、放送受信用アンテナ２０９および放送受信機２１０を第２筐体部Ｋ２２に設けるとともに、第２筐体部Ｋ２２の受信機２２１および内部無線受信用アンテナ２２２を第１筐体部Ｋ２１に設けるようにしてもよい。
【図面の簡単な説明】
【００５２】
【図１】本発明の無線通信制御方法が適用されるクラムシェル型携帯電話の外観を示す斜視図。
【図２】本発明の無線通信制御方法が適用される回転式携帯電話の外観を示す斜視図。
【図３】本発明の第１実施形態に係る無線通信端末の概略構成を示すブロック図。
【図４】本発明の第２実施形態に係る無線通信端末の概略構成を示すブロック図。
【図５】本発明の一実施形態に係るセグメントの割り当て方法を示す図。
【符号の説明】
【００５３】
１、２１、Ｋ１１、Ｋ２１  第１筐体部、２、２２、Ｋ１２、Ｋ２２  第２筐体部、３、２３  ヒンジ、４、２４  操作ボタン、５、２５  マイク、６、２６、１０１、２０１  外部無線通信用アンテナ、７、１０ａ、２７、３０ａ、１０８、１２５、２０８、２２５  内部無線送信用アンテナ、１０ｂ、３０ｂ、１２２、２２２  内部無線受信用アンテナ、８、１１、２８  表示体、９、２９  スピーカ、１２  撮像素子、１３、３１、１０９、２０９  放送受信用アンテナ、１０２、２０２  無線部、１０３、２０３  ベースバンド信号処理部、１０４、２０４  制御部、１０５、２０５  ＲＡＭ、１０６、２０６  ＲＯＭ、１０７、１２４、２０７、２２４  送信機、１１０、２１０  放送受信機、１２１、２２１  受信機、１２３  周波数制御部、１２６、２２６  カメラ、１２７、２２７  液晶表示部、１２８、２２８  付加装置、２２３  セグメント制御部
【図１】
2006319705.tif 000003
【図２】
2006319705.tif 000004
【図３】
2006319705.tif 000005
【図４】
2006319705.tif 000006
【図５】
2006319705.tif 000007